(57)【特許請求の範囲】
【請求項１】
医用画像撮像装置で被検体を撮像して得られた医用画像の読影を支援するために、指定された部位の病変の進行を示す危険度を識別表示するための医用画像読影支援装置であって、
前記指定された部位の病変の進行を示す危険度を識別表示すべく、プロファイルカーブの異なる形状に応じた複数の表示態様を記憶する記憶手段と、
読影用画像上で指定された２つの計測基準位置で定まる線分を特定する線分特定手段と、
前記線分に対応する各画素における信号値のプロファイルカーブの形状であって、前記医用画像撮像装置で得られる信号値のプロファイルカーブの形状に基づいて、前記記憶手段で記憶された複数の表示態様のいずれで表示するかを決定する決定手段と、
前記決定手段で決定された表示態様で、前記部位の危険度を識別可能に表示する表示制御手段と、
を備えることを特徴とする医用画像読影支援装置。
【請求項２】
前記記憶手段は、前記信号値のプロファイルカーブの異なる形状に応じて、段階的に前記複数の表示態様を記憶することを特徴とする請求項１に記載の医用画像読影支援装置。
【請求項３】
前記記憶手段は、前記信号値の第１のプロファイルカーブの形状に応じた表示態様を、当該第１のプロファイルカーブの形状よりも略一定な第２のプロファイルカーブの形状に応じた表示態様より、低い危険度を識別可能な表示態様として記憶していることを特徴とする請求項１または２に記載の医用画像読影支援装置。
【請求項４】
前記記憶手段は、前記複数の表示態様を前記信号値のプロファイルカーブの形状を示す標準偏差に応じた表示態様として記憶しており、
前記決定手段は、前記プロファイルカーブの標準偏差が、前記記憶手段で記憶された複数の表示態様のいずれに対応するかを決定することを特徴とする請求項１乃至３のいずれか１項に記載の医用画像読影支援装置。
【請求項５】
前記記憶手段は、前記標準偏差が所定値未満である場合の表示態様を、前記標準偏差が所定値以上である場合の表示態様よりも、前記危険度が高く識別可能な表示態様として記憶していることを特徴とする請求項４に記載の医用画像読影支援装置。
【請求項６】
前記線分特定手段で特定された線分の長さを取得する線分長さ取得手段を更に備え、
前記記憶手段は、線分の長さと当該線分に対応する信号値のプロファイルカーブの異なる形状とに応じた複数の表示態様を記憶しており、
前記決定手段は、前記線分長さ取得手段で取得した線分の長さと、前記医用画像撮像装置で得られる信号値のプロファイルカーブの形状とに基づいて、前記記憶手段で記憶された複数の表示態様のいずれで表示するかを決定することを特徴とする請求項１乃至５のいずれか１項に記載の医用画像読影支援装置。
【請求項７】
前記記憶手段は、前記線分の長さが所定値以上である場合の表示態様が、前記線分の長さが前記所定値未満である場合の表示態様よりも、危険度が高く識別可能な表示態様として記憶することを特徴とする請求項６に記載の医用画像読影支援装置。
【請求項８】
前記記憶手段に記憶される複数の表示態様は色彩を異ならせた表示態様であり、
前記表示制御手段は、前記色彩を異ならせた前記表示態様で、前記部位の危険度を識別可能に表示することを特徴とする請求項１乃至７のいずれか１項に記載の医用画像読影支援装置。
【請求項９】
前記表示制御手段は、前記線分を前記記憶手段に記憶された表示態様で表示することで、前記部位の危険度を識別可能に表示することを特徴とする請求項１乃至８のいずれか１項に記載の医用画像診断支援装置。
【請求項１０】
前記読影用画像は被検体の管腔状組織を撮像したものであり、
前記線分特定手段で特定された前記線分の前記管腔状組織の延伸方向における位置を取得する位置情報取得手段と、
前記位置情報取得手段で取得された位置と、前記線分の長さとが識別可能なリストを作成するリスト作成手段と、
を更に有し、
前記表示制御手段は、前記決定手段で決定された表示態様で、前記部位の危険度を前記リスト上で識別可能に表示することを特徴とする請求項１乃至８のいずれか１項に記載の医用画像読影支援装置。
【請求項１１】
前記読影用画像は被検体の管腔状組織を撮像したものであり、
前記線分特定手段は、前記管腔状組織の芯線に沿って移動する視点から見えると想定される前記管腔状組織の仮想内視鏡画像上で前記２点の計測基準位置が指定されることで、前記線分を特定することを特徴とする請求項１乃至１０のいずれか１項に記載の医用画像診断支援装置。
【請求項１２】
医用画像撮像装置で被検体を撮像して得られた医用画像の読影を支援するために、指定された部位の病変の進行を示す危険度を識別表示するための医用画像読影支援装置であり、前記指定された部位の病変の進行を示す危険度を識別表示すべく、プロファイルカーブの異なる形状に応じた複数の表示態様を記憶する記憶手段を備える医用画像読影支援装置の制御方法であって、
前記医用画像読影支援装置が、
読影用画像上で指定された２つの計測基準位置で定まる線分を特定する線分特定ステップと、
前記線分に対応する各画素における信号値のプロファイルカーブの形状であって、前記医用画像撮像装置で得られる信号値のプロファイルカーブの形状に基づいて、前記記憶手段で記憶された複数の表示態様のいずれで表示するかを決定する決定ステップと、
前記決定ステップで決定された表示態様で、前記部位の危険度を識別可能に表示する表示制御ステップと、
を備えることを特徴とする医用画像読影支援装置の制御方法。
【請求項１３】
医用画像撮像装置で被検体を撮像して得られた医用画像の読影を支援するために、指定された部位の病変の進行を示す危険度を識別表示するための医用画像読影支援装置であり、前記指定された部位の病変の進行を示す危険度を識別表示すべく、プロファイルカーブの異なる形状に応じた複数の表示態様を記憶する記憶手段を備える医用画像読影支援装置で実行可能なプログラムであって、
前記医用画像読影支援装置を、
読影用画像上で指定された２つの計測基準位置で定まる線分を特定する線分特定手段と、
前記線分に対応する各画素における信号値のプロファイルカーブの形状であって、前記医用画像撮像装置で得られる信号値のプロファイルカーブの形状に基づいて、前記記憶手段で記憶された複数の表示態様のいずれで表示するかを決定する決定手段と、
前記決定手段で決定された表示態様で、前記部位の危険度を識別可能に表示する表示制御手段
として機能させることを特徴とするプログラム。
【発明の詳細な説明】
【技術分野】
【０００１】
本発明は、被検体を撮像して得られた医用画像の読影を支援するための医用画像読影支援装置に関するものであり、更に詳細には、関心部位の危険度を一目で把握できる表示を行わせる医用画像読影支援装置、その制御方法およびプログラムに関する。
【０００２】
近年、癌における死亡原因のうち大腸癌による死亡率が上昇しており、これを受けて大腸癌の早期発見および治療のため、内視鏡検査等を利用した検診プログラムが開発されている。そのうち、ＣＴ（computed  tomography）を利用し大腸を撮影して得られた医用画像データを基にして、仮想内視鏡機能を用いて腸管内を診断する手法は、CT−Colonography（ＣＴＣ）と呼ばれ、様々な施設で用いられている（例えば、特許文献１を参照）。
【０００３】
この方法における読影は、一般的に、仮想内視鏡機能によって表示される画像を観察して異常部位の有無を判断し、異常部位が存在する場合はその位置を記録しておいて、当該異常部位をＣＴ画像にて精査するようにして行われ、この後、解析装置による距離計測機能を用いて当該病変部の大きさを計測する。これは、病変部が大きくなるに従って癌が進行している可能性が高まることからも分かるように、病変部の大きさそのものが危険度（癌が進行している可能性）の度合いを表しているためである。また、上記判断、計測過程においては、異常部位が残渣部ではなく病変部であることを確認する作業も必要となる。
【０００４】
上述した、仮想内視鏡画像やＣＴ画像（一次画像）を観察して行われる読影において、読影者は異常部位が読影しやすい大きさで表示されるように一次画像を拡大・縮小するとともに、必要に応じてマーク等をつけた上で画像を保存し、この保存した画像（二次画像もしくはセカンダリキャプチャと称される）を治療医に送る。そして、治療医は、一次画像や、読影者が作成した二次画像を基にして、病変部の切除（ポリペクトミー）等についての判断を行う。ここで、病変部の危険度はポリペクトミーを施行する上で重要な情報であるため、読影者から治療医に、二次画像等を利用して正確且つ確実に伝達されることが求められる。通常、病変部の大きさが５〜７mm以上の場合は危険度が高いと判断され、大腸内視鏡検査を実施して病変部を切除することが多い。
【０００５】
ところで、必要に応じて一次画像を拡大・縮小して二次画像が作成されることがあるため、二次画像に表示された異常部位を基にこれの実際の大きさを把握することは困難である。このため従来、読影者による画像上での異常部位における端部２点の指定に応じて、その指定された２点間の距離（２点を結ぶ線分の長さ）を表示させることが行われている（一次画像にこのような表示を加えたものを、二次画像とする場合もある。）。これにより読影者および治療医は、表示された２点間の距離を読み取ることにより、異常部位をどのように処置すべきかを把握することができる。
【先行技術文献】
【特許文献】
【０００６】
【特許文献１】特開２０１１−０８８８９１号公報
【発明の概要】
【発明が解決しようとする課題】
【０００７】
しかしながら、このような異常部位が数多く発見され、しかもその処置を早急に行う必要がある場合等においては、例えば切除すべきか否かという情報（危険度）を、各異常部位に対して簡便且つ明瞭に与える指標が求められるという課題があった。
【０００８】
本発明は上記のような課題に鑑みてなされたものであり、異常部位が残渣部とは異なる病変部として、その危険度を一目で把握できる表示を行わせることが可能な医用画像読影支援装置、その制御方法およびプログラムを提供することを目的とする。
【課題を解決するための手段】
【０００９】
上記目的を達成するため、本発明に係る医用画像読影支援装置、その制御方法およびプログラムは、以下のように構成されている。
【００１０】
本発明は、医用画像撮像装置で被検体を撮像して得られた医用画像の読影を支援するために、指定された部位の病変の進行を示す危険度を識別表示するための医用画像読影支援装置であって、前記指定された部位の病変の進行を示す危険度を識別表示すべく、プロファイルカーブの異なる形状に応じた複数の表示態様を記憶する記憶手段と、読影用画像上で指定された２つの計測基準位置で定まる線分を特定する線分特定手段と、前記線分に対応する各画素における信号値のプロファイルカーブの形状であって、前記医用画像撮像装置で得られる信号値のプロファイルカーブの形状に基づいて、前記記憶手段で記憶された複数の表示態様のいずれで表示するかを決定する決定手段と、前記決定手段で決定された表示態様で、前記部位の危険度を識別可能に表示する表示制御手段と、を備えることを特徴とする。
【発明の効果】
【００２０】
本発明によれば、異常部位が残渣部とは異なる病変部として、その危険度を一目で把握できる表示を行わせることが可能な医用画像読影支援装置、その制御方法およびプログラムを提供することが可能になる。
【図面の簡単な説明】
【００２１】
【図１】本発明に係る医用画像読影支援装置の概略構成を示すブロック図である。
【図２】図１に示す医用画像読影支援装置において実行される処理の流れを示すフローチャートである。
【図３】表示装置に表示される画像を示す図であって、（ａ）は病変部が現れた読影用画像（ＣＴ画像）を示す図であり、（ｂ）は（ａ）において指定された２点間のＣＴ値のプロファイルカーブを示す図である。
【図４】表示装置に表示される画像を示す図であって、（ａ）は残渣部が現れた読影用画像（ＣＴ画像）を示す図であり、（ｂ）は（ａ）において指定された２点間のＣＴ値のプロファイルカーブを示す図である。
【図５】指定された２点間のＣＴ値を、横軸をＣＴ値、縦軸を度数として示す図であり、（ａ）は図３（ｂ）のＣＴ値について示す図であり、（ｂ）は図４（ｂ）のＣＴ値について示す図である。
【図６】ＣＴ画像に線分を付した二次画像を示す図であって、（ａ）は危険度が高いことを示す線分を付した図であり、（ｂ）は危険度が低いことを示す線分を付した図である。
【図７】２点を結ぶ線分およびリストに付される色彩の対応関係を示す表である。
【図８】上記医用画像読影支援装置によって作成される線分長さリストを示す図である。
【発明を実施するための形態】
【００２２】
以下、本発明の実施形態について、上述の図面を参照しつつ詳細に説明する。まず、図１を参照しながら、本発明に係る医用画像読影支援装置１の装置構成について説明する。図１に示す医用画像読影支援装置１は、医用画像撮像装置４（例えばＣＴ）により得られた被検体の医用画像データに基づいて、読影がしやすい読影用画像を表示装置２に表示させることにより、読影者による医用画像の読影を支援するものである。
【００２３】
医用画像読影支援装置１は、コンピュータ等から構成されており、図１に示すように、制御部１１、データ記憶部１２、表示データ出力インタフェース１４、操作入力インタフェース１５および画像データ入力インタフェース１６を備えて構成される。制御部１１は、各種の演算処理を行うＣＰＵおよび所定のプログラムが格納されたメモリにより構成され、芯線設定手段２０、読影用画像表示手段２１、線分長さ算出手段２２、標準偏差算出手段２３、線分表示手段２４およびリスト作成手段２５を備える（詳細は後述）。データ記憶部１２は、ハードディスク、ＲＡＭまたはＲＯＭ等の記憶装置により構成され、制御部１１との間で各種データの送受信が可能に構成される。
【００２４】
表示データ出力インタフェース１４は、制御部１１から出力される表示データを表示装置２に伝達するインタフェースである。操作入力インタフェース１５は、操作装置３から入力される各種操作信号を制御部１１に伝達するインタフェースである。画像データ入力インタフェース１６は、医用画像撮像装置４からの医用画像データを制御部１１に伝達するインタフェースである。操作装置３はマウスやキーボード等からなり、この操作装置３を操作することにより、操作入力インタフェース１５を介して操作に対応した操作信号が制御部１１に入力されて、読影部位を指定することや、表示装置２に表示される画像（読影用画像）上に位置を指定することができるようになっている。
【００２５】
次に、医用画像読影支援装置１の作動、すなわち、表示装置２に読影用画像等を表示させる制御について、図３〜図８を参照しつつ、図２に示すフローチャートに沿って説明する。
【００２６】
以下においては、被検体を医用画像撮像装置４により断層撮影し、断層撮影して得られた断層画像群からなる医用画像データ（例えばＣＴ値）に基づいて、大腸を読影するため読影用画像を表示装置２に表示させる場合について説明する。本発明に係る医用画像読影支援装置１は、病変部の危険度（癌が進行している可能性）を一目で把握できる読影用画像を表示させることにより、精度および効率の良い読影を可能とする点に特徴を有する。なお、次述する表示装置２に読影用画像を表示させる手順は、本発明の一実施形態に係る医用画像読影支援プログラムに従って実行されるものである。
【００２７】
ここで、医用画像読影支援装置１の作動全体を概略的に述べると、図２に示すように、まず、医用画像データを取得し（ステップＳ１０）、次に、取得した医用画像データを基にした読影用画像を表示し（ステップＳ２０）、続いて、必要に応じて２点を指定する操作が行われ（ステップＳ３０，Ｓ３５）、次に、指定された２点間の距離を算出し（ステップＳ４０）、続いて、２点を結ぶ線分上ＣＴ値の標準偏差を算出し（ステップＳ５０）、次に、線分に付す色彩を決定し（ステップＳ６０）、続いて、２点を結ぶ線分を表示し（ステップＳ７０）、最後に、線分長さリストを作成（ステップＳ８０）する作動を行うようになっている。以下、上記各ステップについて詳細に説明する。
【００２８】
〈１〉まず、医用画像撮像装置４から、被検体を断層撮影して得られた医用画像データを取得する（医用画像データ取得ステップ；図２のステップＳ１０参照）。取得された医用画像データは、データ記憶部１２に記憶される。ここで、大腸内部には、大腸ヒダが芯線方向に所定間隔をおいて配列されているため、この大腸ヒダの間隔が狭い状態のまま医用画像撮像装置４により撮像すると、大腸ヒダ間の読影がし難くなる。そこで、本実施形態のように大腸の読影を行う場合には、予め大腸に医療用ガスを注入して大腸ヒダを径方向および芯線方向に拡張させ、その状態で医用画像撮像装置４により断層撮影される。なお、本実施形態では、被検体の医用画像データを医用画像撮像装置４から取得する構成を想定しているが、この構成に代えて、ＣＤやＤＶＤ等の情報記憶媒体に記憶された医用画像データを必要に応じて読み出して取得するようにしても良い。
【００２９】
医用画像データを取得した後、操作装置３から入力される読影部位を選択する操作信号（この場合は大腸を選択する操作信号）に基づいて、制御部１１は、データ記憶部１２に記憶された医用画像データのうちから大腸に対応する医用画像データを特定する。ここで、大腸に対応する医用画像データを特定する方法として、ＣＴ値についての閾値を設定しておき、医用画像データのＣＴ値をその閾値と比較することにより特定する方法を採用可能である。
【００３０】
そして、制御部１１の芯線設定手段２０は、特定された医用画像データ（大腸に対応する医用画像データ）を基にして大腸の芯線を設定する。本実施形態では、非特許文献である「Stephen R. Aylward, Member, IEEE and Elizabeth Bullitt, “Initialization, Noise, Singularities, and Scale in Height Ridge Traversal  for Tubular Object Centerline Extraction” IEEE TRANSACTIONS  ON MEDICAL IMAGING, VOL. 21, NO.2, FEBRUARY 2002」に開示された手法により、芯線を設定する。具体的には、まず、医用画像データの各データ値（ＣＴ値）に基づき、画像データ空間内の局所領域において大腸の芯線上に位置すると推定される点（以下「経由点」と称する）を設定する。次に、経由点を含む局所領域におけるヘッセ（Hesse）行列の固有値を算出し、算出された固有値に基づき大腸の芯線の主軸方向（芯線の延びる方向）を求め、その主軸方向に新たな経由点を設定する。この手順を繰り返すことにより多数の経由点を順次設定し、設定された経由点同士を滑らかに連結することにより、大腸の全体的な芯線を設定する。
【００３１】
〈２〉続いて制御部１１の読影用画像表示手段２１は、上述のステップＳ１０において特定された医用画像データを基にして、表示装置２に大腸の読影用画像（一次画像）を表示させる（読影用画像表示ステップ；図２のステップＳ２０参照）。ここで、読影用画像とは、大腸の芯線上を移動する視点を想定し、この視点から見えると想定される大腸内部を表す仮想内視鏡画像と、この仮想内視鏡画像の視点位置に対応したＣＴ画像（断層画像）とを意味する。読影者は、仮想内視鏡画像の視点を自動もしくは手動で芯線に沿って移動させながら、視点の移動に従って展開表示される仮想内視鏡画像を観察して、腸管内壁から内方に向けて隆起した病変部と疑われる部分の有無を調べる。一般的に病変部は、大きくなるに従って癌が進行している可能性が高まることからも分かるように、病変部の大きさそのものがその危険度の度合いを表しているといえる。そこで、読影用画像を観察して隆起した部分が確認された場合、以下のようにして、当該隆起した部分の危険度を把握するために大きさ（隆起部分の長径）の測定が行われる。
【００３２】
〈３〉読影者は、仮想内視鏡画像の視点を移動させて読影用画像を展開表示させながら、隆起した部分が現れる毎に操作装置３を操作して、読影用画像上において当該隆起した部分の長径両端に相当する２点を指定する（２点指定操作ステップ；図２のステップＳ３０，Ｓ３５参照）。ステップＳ３５における指定操作に応じて、２点を指定する操作信号が制御部１１に入力される。このようにして２点を指定する操作を、仮想内視鏡画像の視点を始点から終点まで移動させる間に表示される読影用画像全てに対して行い、この大腸の読影が終了すると、読影者は２点指定操作の終了に対応する操作を操作装置３に対して行う（ステップＳ３０）。この終了操作により、制御部１１に指定操作終了に対応した操作信号が入力されて、ステップＳ３０からステップＳ４０に進む。
【００３３】
〈４〉ステップＳ３０からステップＳ４０に進むと、制御部１１の線分長さ算出手段２２は、上述のステップＳ３５において指定された２点（２点の組）それぞれについて、２点間の距離、すなわち、指定された２点を結ぶ線分（長径）の長さを算出する（２点間の距離算出ステップ；図２のステップＳ４０参照）。ところで、腸管内に残便等の残渣部が存在すると、この残渣部が病変部と同様に隆起した部分として観察され、上述のステップＳ３５において、病変部ばかりではなく残渣部に対しても２点が指定されることがあり得る。そこで、上述のステップＳ３５において指定された２点間に存在する部位を、病変部と残渣部とに区別するために、次のステップＳ５０に進む。
【００３４】
〈５〉ステップＳ４０からステップＳ５０に進むと、制御部１１の標準偏差算出手段２３は、ステップＳ３５において指定された２点それぞれについて、２点間の医用画像データ（２点を結ぶ線分上に位置する各画素のＣＴ値）を特定し、このＣＴ値のプロファイルカーブを作成して読影用画像とともに表示装置２に表示させる。そのプロファイルカーブを、読影用画像としてのＣＴ画像とともに表示させた例を図３および図４に示している。なお、病変部と残渣部との相違を比較できるように、図３には病変部に対応するものを示し、図４には残渣部に対応するものを示している。
【００３５】
図３（ａ）は、病変部３１の長径両端に相当する２点が指定された場合のＣＴ画像３０であり、図３（ｂ）は、ＣＴ画像３０に指定された２点を結ぶ線分３２上に存在する画素のＣＴ値を、横軸を線分３２が延びる方向における位置とし、縦軸をＣＴ値として表したプロファイルカーブ３３である。病変部３１（細胞からなる部分）は、水分、脂肪および空気等に対してＸ線の吸収度合が高く相対的に高いＣＴ値が安定して得られるため、病変部３１に対応するプロファイルカーブ３３は、図３（ｂ）に示すように、比較的高く且つ略一定のＣＴ値を示すものとなる。
【００３６】
一方、図４（ａ）は、残渣部４１の長径両端に相当する２点が指定された場合のＣＴ画像４０であり、図４（ｂ）は、ＣＴ画像４０に指定された２点を結ぶ線分４２上に存在する画素のＣＴ値を、横軸を線分４２が延びる方向における位置とし、縦軸をＣＴ値として表したプロファイルカーブ４３である。残渣部４１は内部に隙間（空気）が存在し、その隙間部分において急激にＣＴ値が低下するため、残渣部４１に対応するプロファイルカーブ４３は、図４（ｂ）に示すように、病変部３１のプロファイルカーブ３３と比較してＣＴ値が大きく変動するものとなる。
【００３７】
このように、指定された２点を結ぶ線分上のＣＴ値（プロファイルカーブの形状）に基づいて、２点間の部位（隆起部分）を病変部と残渣部とに区別することが可能である。本実施形態では、図５に示すように、２点間のＣＴ値の標準偏差を用いてＣＴ値の形状を数値化することにより、それに基づいて病変部か残渣部かを区別する構成を例示している。なお、図５においては、病変部と残渣部との相違を比較できるように、図５（ａ）には病変部に対応するものを示し、図５（ｂ）には残渣部に対応するものを示している。
【００３８】
そこで、制御部１１の標準偏差算出手段２３により、指定された２点間のＣＴ値の標準偏差が算出される（標準偏差算出ステップ；図２のステップＳ５０参照）。まず、図３（ｂ）に示す、病変部３１に対応したプロファイルカーブ３３の標準偏差σを算出する場合について説明する。図３（ｂ）に示すプロファイルカーブ３３のＣＴ値を、横軸にＣＴ値、縦軸に度数をとってグラフに示すと、図５（ａ）に示すように、平均ＣＴ値ｍ１を中心にＣＴ値が集中して存在する凸状のグラフとなる。このため、図３（ｂ）に示す病変部３１のプロファイルカーブ３３について標準偏差σを算出すると、比較的小さなσ１が得られる。
【００３９】
次に、図４（ｂ）に示す、残渣部４１に対応したプロファイルカーブ４３の標準偏差σを算出する場合について説明する。図４（ｂ）に示すプロファイルカーブ４３のＣＴ値を、横軸にＣＴ値、縦軸に度数をとってグラフに示すと、図５（ｂ）に示すように、平均ＣＴ値ｍ２に対してＣＴ値が広範囲に亘って分散したグラフとなる。このため、図４（ｂ）に示す残渣部４１のプロファイルカーブ４３について標準偏差σを算出すると、比較的大きなσ２（＞σ１）が得られる。
【００４０】
〈６〉ステップＳ５０からステップＳ６０に進むと、制御部１１の線分表示手段２４は、ステップＳ４０において算出された２点間の距離、およびステップＳ５０において算出された標準偏差を基にして、ステップＳ３０で指定された２点を結ぶ線分に付す色彩を決定する（色彩決定ステップ；図２のステップＳ６０参照）。この線分表示手段２４による色彩の決定について、以下に詳細に説明する。
【００４１】
線分表示手段２４は、色彩の決定を行うために、癌が進行している可能性があると考えられる病変部の大きさ（基準サイズＸ）に係る情報を記憶している。また、病変部に対応するプロファイルカーブの標準偏差以上で、且つ残渣部に対応するプロファイルカーブの標準偏差未満の、病変部と残渣部とを区別するときの基準となる基準標準偏差値σＸに係る情報も記憶している。このため、ステップＳ４０において算出された２点間の距離を基準サイズＸと比較して、基準サイズＸ未満の場合は癌が進行している可能性が低いと考えられ、反対に基準サイズＸ以上の場合は癌が進行している可能性が高いと考えられる。また、ステップＳ５０において算出された標準偏差を基準標準偏差値σＸと比較し、基準標準偏差値σＸ未満の場合は病変部である可能性が高いと考えられ、反対に基準標準偏差値σＸ以上の場合は残渣部である可能性が高いと考えられる。
【００４２】
以上より、線分長さおよび標準偏差の比較結果として、線分長さがＸ未満で標準偏差がσＸ未満の場合、線分長さがＸ未満で標準偏差がσＸ以上の場合、線分長さがＸ以上で標準偏差がσＸ未満の場合、および線分長さがＸ以上で標準偏差がσＸ以上の場合の、合計４つのケースが想定される。この４つのケースそれぞれに関し、２点間を結ぶ線分をどのような色彩を付して表示するかについて以下に説明する。
【００４３】
まず、２点間の距離が基準サイズＸ未満の場合であって、且つ標準偏差が基準標準偏差値σＸ未満の場合について説明する。この場合、指定された２点間に位置する部位は、残渣でなく生体組織である可能性が高く、その大きさから癌が進行している可能性が低いと考えられ、必要以上に注意を払わなくても良い部位であると考えられる。よって、この場合には、後述する癌が進行している可能性が高いと考えられる部分（特に注意が払われるべき部分であって、後述するように赤色で表示）に対して注意喚起度を下げた表示となるように、指定された２点間を結ぶ線分に赤色よりも注意喚起度の低い青色を付する決定が行われる。
【００４４】
次に、２点間の距離が基準サイズＸ未満の場合であって、且つ標準偏差が基準標準偏差値σＸ以上の場合について説明する。この場合、指定された２点間に位置する部位は比較的小さな残渣である可能性が高いと考えられ、必要以上に注意を払わなくても良い部位であると考えられる。このため、上述の場合と同様に、特に注意が払われるべき癌が進行している可能性が高いと考えられる部分に対して注意喚起度を下げた表示となるように、指定された２点間を結ぶ線分に赤色よりも注意喚起度の低い青色を付する決定が行われる。
【００４５】
次に、２点間の距離が基準サイズＸ以上の場合であって、且つ標準偏差が基準標準偏差値σＸ未満の場合について説明する。この場合、２点間に位置する部位は癌が進行している可能性が高いと考えられるため、指定された２点を結ぶ線分に注意喚起度の高い赤色を付する決定が行われる。
【００４６】
次に、２点間の距離が基準サイズＸ以上の場合であって、且つ標準偏差が基準標準偏差値σＸ以上の場合について説明する。この場合、指定された２点間に位置する部位は比較的大きな残渣である可能性が高いと考えられるので、癌が進行している可能性が高いと考えられる病変部ほど注意を払わなくても良い部位であると考えられる。しかし、残渣内に病変部が隠れて存在する場合があり得るので、２点間の距離が基準サイズＸ未満の部位（線分が青色で表示される部位）よりは注意を払うことが要求される部位であると考えられる。このため、癌が進行している可能性が高いと考えられる病変部（赤色表示）に対して注意喚起度を下げた表示であって、且つ２点間の距離が基準サイズＸ未満の場合（青色表示）よりも注意喚起度を高めた表示となるように、２点間を結ぶ線分に橙色を付する決定が行われる。なお、図７には、以上説明した、線分長さおよび標準偏差と、線分に付す色彩との対応関係を示している。
【００４７】
〈７〉ステップＳ６０からステップＳ７０に進むと、線分表示手段２４は、ステップＳ３０で指定された２点を結ぶ線分に、ステップＳ６０において決定された色彩を付して、ＣＴ画像中に表示する（線分表示ステップ；図２のステップＳ７０参照）。
【００４８】
このステップＳ７０において表示されるＣＴ画像（二次画像）の例を、図６に示している。図６（ａ）には、癌が進行している可能性が高いと考えられる病変部３１に対して２点が指定されて、この病変部３１に重なる線分３２Ａに赤色を付して表示するＣＴ画像（二次画像）３０Ａを示している。このように、癌が進行している可能性が高いと考えられる病変部３１の長径に相当する線分３２Ａに赤色を付して表示することにより、この線分３２Ａと重なる病変部３１は、特に危険度が高いと考えられるものであるということを一目で把握することができる。一方、図６（ｂ）には、癌が進行している可能性が低いと考えられる病変部５０に対して２点が指定されて、この病変部５０に重なる線分５１Ａに青色を付して表示するＣＴ画像（二次画像）５０Ａを示している。このように、病変部５０の長径に相当する線分５１Ａに青色を付して表示することにより、この線分５１Ａと重なる病変部５０は、危険度が低いと考えられるものであるということを一目で把握することができる。以上説明したように、医用画像読影支援装置１によれば、危険度に対応した色彩を付して線分を表示することにより、異常部位の組織の種類（病変部または残渣部）という観点も考慮に入れ、危険度を一目で把握できる表示を行わせることが可能になる。
【００４９】
〈８〉続くステップＳ８０では、制御部１１のリスト作成手段２５により、ステップＳ４０において測定された線分長さに、腸管の芯線上におけるこの線分が存在する位置（測定開始点（例えば肛門）からの芯線に沿った距離）を対応させた線分長さリストが作成される（線分長さリスト作成ステップ；図２のステップＳ８０参照）。
【００５０】
従来、読影者により作成された二次画像等のレポートに、異常部位の大きさとその位置（大腸の芯線に沿った位置）とを記録した線分長さリストが添付されて、内視鏡操作医等に送られる場合がある。しかし、その線分長さリストは、異常部位の大きさとその位置とが羅列されたものであるため、内視鏡操作医等は、その線分長さリストを見ても病変部の危険度を一目で把握することが難しいという課題があった。
【００５１】
これに対して、医用画像読影支援装置１（リスト作成手段２５）は、この従来の課題を解決する線分長さリストを作成できるように構成されている。リスト作成手段２５により作成される線分長さリストについて具体的に説明するために、上述のステップＳ３５において、以下の合計３回の２点を指定する操作（第１〜第３の指定操作）が行われた場合を想定する。まず、第１の指定操作により、測定開始点から２６ｃｍの位置において長さ３ｍｍ（＜基準サイズＸ）の線分が指定されたと想定する。次に、第２の指定操作により、測定開始点からの４０ｃｍの位置において長さ１０ｍｍ（＞基準サイズＸ）の線分が指定されるとともに、その線分上のＣＴ値の標準偏差としてσ３（＜基準標準偏差値σＸ）が得られたと想定する。次に、第３の指定操作により、測定開始点からの８０ｃｍの位置において長さ６ｍｍ（＞基準サイズＸ）の線分が指定されるとともに、その線分上のＣＴ値の標準偏差としてσ４（＞基準標準偏差値σＸ）が得られたと想定する。以上の想定に基づいた線分長さリスト６０を図８に示している。
【００５２】
線分長さリスト６０では、図８に示すように、「項目番号」、「測定開始点からの距離」、およびこの測定開始点からの距離に対応する「病変部の大きさ（線分長さ）」が、紙面左右に並べられて表示される。このとき、左右に並んだ「項目番号」、「測定開始点からの距離」および「病変部の大きさ」は、図７の表に示す対応関係に従った色彩が付されて表示される。このため、上述の想定においては、上段６１に並んだ「１」、「２６cm」および「３mm」の数字は白色、中段６２に並んだ「２」、「４０cm」および「１０mm」の数字は赤色、下段６３に並んだ「３」、「８０cm」および「６mm」の数字は橙色を付して表示される。このように、危険度に応じた色彩を付して、ステップＳ４０において大きさが測定された部位の全てをリストアップすることにより、漏れのないように情報を伝達できるものでありながら、危険度が高いと考えられる病変部の把握が容易な線分長さリスト６０とすることができる。
【００５３】
この線分長さリスト６０は読影終了時に作成され、読影者から治療医に送られる。治療医はこの線分長さリスト６０を見ることにより、腸管内壁から内側に隆起する部分（病変部および残渣部の両方を含む）が全体としてどの程度存在するのかについて一目で把握しつつ、特に危険度の高い、癌が進行している可能性が高いと考えられる病変部の存在を一目で把握できる。このため、治療戦略の精度向上、治療戦略の計画を立てるのに要する時間の短縮、治療時間の短縮、および治療の安全性確保等が図られる。
【００５４】
なお、ステップＳ３５で２点を指定する操作が行われることなく（異常部位が全く発見されず）ステップＳ３０で指定終了操作が行われた場合、ステップＳ７０において線分の表示が行われない一方で、ステップＳ８０において表示欄が空白となった線分長さリストが作成される。
【００５５】
以下においては、主として医用画像読影支援装置１に関する変更態様について説明をしているが、この変更態様は、本発明に係る医用画像読影支援方法および医用画像読影支援プログラムにも同様に適用できるものである。
【００５６】
上述の実施形態では、ＣＴにより得られた医用画像データを用いる構成を例示して説明したが、ＣＴ以外に、例えばＭＲＩ（Magnetic Resonance Imaging）、カプセル内視鏡等の他の医療用撮像手法に得られた医用画像データを用いることも可能である。
【００５７】
上述の実施形態においては、大腸の読影を行う場合を例示して説明したが、本発明に係る医用画像読影支援装置１を用いて、例えば造影血管、小腸、気管支、脊椎等の管腔状組織や、管腔状ではない組織の読影を行うことも可能である。なお、線分長さリスト６０の作成は、管腔状組織を読影する場合に特に有効である。
【００５８】
上述の実施形態においては、線分上ＣＴ値のプロファイルカーブの形状を、標準偏差を基にして判断する方法を例示して説明したが、この方法に代えて、例えばＣＴ値についての閾値を予め設定しておき、ＣＴ値のプロファイルカーブがこの閾値を上から下へ、または下から上へ横切る回数を基にして判断することも可能である。
【００５９】
上述の実施形態においては、図７に示すように、線分長さおよび標準偏差に応じて、青色（白色）、赤色もしくは橙色を付して、線分およびリストを表示する場合について説明したが、線分に付す色彩はこれに限定されず、他の色彩を用いて互いの注意喚起度を異ならせた表示を行うことも可能である。
【００６０】
上述の実施形態では、図７に示すように、線分長さが基準サイズＸ未満の場合にＣＴ値の標準偏差（プロファイルカーブの形状）に拘わらず、青色（白色）で線分およびリストを表示する例を説明したが、これに代えて、線分長さが基準サイズＸ未満の場合にＣＴ値の標準偏差に応じて、異なる色彩を付すようにしても良い。このようにすれば、サイズから考慮して癌が進行している可能性が低いと考えられる部分についても、その部分が病変部か残渣部かを一目で把握することが可能になる。
【００６１】
また、図７に示す色彩の変形例として、線分長さが基準サイズＸ以上であって標準偏差が基準標準偏差値σＸ未満の場合に、注意喚起度の高い色彩を付して表示し、その他の全ての場合に、注意喚起度の低い色彩を付して表示するようにしても良い。さらに別の変形例として、線分長さが基準サイズＸ以上であって標準偏差が基準標準偏差値σＸ未満の場合、線分長さが基準サイズＸ未満であって標準偏差が基準標準偏差値σＸ未満の場合、および標準偏差が基準標準偏差値σＸ以上の場合の３つの場合について、互いに注意喚起度の異なる色彩を付して表示するようにしても良い。このような３つの場合に対応した色彩を付する構成とした場合、病変部の可能性が高いと考えられる部分と、残渣部の可能性が高いと考えられる部分とを、色彩によって区別した表示が可能となる。このため、例えば病変部の可能性が高いと考えられる部分に対応した色彩で表示されたもの同士について、病変部の大きさ（線分長さ）を比較することにより、最適な治療計画を容易に立てることができる。
【００６２】
上述の実施形態における線分長さリスト６０の表示態様として、特願２０１３−２４５０１６の第４図に開示されているように、芯線に沿った位置に対応させた間隔で項目を並べて表示させる態様とすることも可能である。
【００６３】
上述の実施形態では、危険度に対応した色彩を線分に付すようにしているが、要は危険度が一目で把握できる線分表示態様であれば良く、これに替えて、例えば危険度に応じたマーク（○印、△印および×印等）を線分に付す態様としても良い。
【符号の説明】
【００６４】
１      医用画像生成装置
２      表示装置
３      操作装置
４      画像撮像装置
１１    制御部
１２    データ記憶部
１４    表示データ出力インタフェース
１５    操作入力インタフェース
１６    画像データ入力インタフェース
２０    データ特定手段
２１    芯線設定手段
２２    線分長さ算出手段
２３    標準偏差算出手段
２４    線分表示手段
２５    リスト作成手段
３０    ＣＴ画像
３０Ａ  ＣＴ画像（二次画像）
３１    病変部
３２    線分
３２Ａ  線分
３３    プロファイルカーブ
４０    ＣＴ画像
４１    残渣部
４２    線分
４３    プロファイルカーブ
５０    病変部
５０Ａ  ＣＴ画像
５１Ａ  線分
６０    線分長さリスト
６１    上段
６２    中段
６３    下段
Ｘ      基準サイズ
σＸ    基準標準偏差値
【図１】
0005929965.tif 000002
【図２】
0005929965.tif 000003
【図５】
0005929965.tif 000004
【図７】
0005929965.tif 000005
【図３】
0005929965.tif 000006
【図４】
0005929965.tif 000007
【図６】
0005929965.tif 000008
【図８】
0005929965.tif 000009